(57)【要約】【課題】組立家具の連結構造を提供することを課題とする。【解決手段】本発明は、各板状部材を含む組立家具の連結構造を開示し、板状部材の間が係止構造を介して連結され、前記係止構造は掛合式係止構造と直接挿入式係止構造と係合式係止構造と摺動溝式係止構造とを含み、掛合式係止構造は合わせる掛止溝と掛合式位置決め突起とを含み、直接挿入式係止構造は合わせる嵌合溝と直接挿入式位置決め突起とを含み、係合式係止構造は合わせる第１係合部と第２係合部とを含み、摺動溝式係止構造が合わせる摺動溝と摺動板とを含む。本発明は、家具の異なるニーズに応じて異なる係止構造として設計して連結され、応用範囲がより一層広くなる。本発明は、従来家具の連結部材をモジュール化することにより、その取り付け、取り外しに便利で、コストを低減させる。空洞部の構造は、係合部の突出部分を隠し、危害を及ぼす可能性を減らし、かつ露出する取り付け痕跡がなく、体裁よく仕上がる。【選択図】図７
2020085160.tif 000002
【特許請求の範囲】
【請求項１】
各部材を含む組立家具の連結構造であって、前記各部材は板状部材を含み、前記板状部材の間が係止構造を介して連結され、前記係止構造は掛合式係止構造と直接挿入式係止構造と係合式係止構造と摺動溝式係止構造とを含み、
前記掛合式係止構造は、第１板状部材上に設けられた掛止溝と、第２板状部材上に設けられ、前記掛止溝に合わせられる掛合式位置決め突起とを含み、
前記直接挿入式係止構造は、第３板状部材上に設けられた嵌合溝と、第４板状部材上に設けられ、前記嵌合溝に合わせられる直接挿入式位置決め突起とを含み、
前記係合式係止構造は、第５板状部材上に設けられた第１係合部と、第６板状部材上に設けられ、前記第１係合部に合わせられる第２係合部とを含み、
前記摺動溝式係止構造は、第７板状部材上に設けられた摺動溝と、第８板状部材上に設けられ、前記摺動溝に合わせられる摺動板とを含む、
ことを特徴とする組立家具の連結構造。
【請求項２】
前記掛合式位置決め突起は、“┌”形の構造を有する、ことを特徴とする請求項１に記載の組立家具の連結構造。
【請求項３】
前記掛止溝に、内方に向けて突出する係止部が設けられる、ことを特徴とする請求項１に記載の組立家具の連結構造。
【請求項４】
前記掛合式係止構造は、閉鎖形掛合式係止構造と半閉鎖形掛合式係止構造とを含み、前記閉鎖形掛合式係止構造における前記掛止溝は閉鎖式貫通孔構造であり、前記半閉鎖形掛合式係止構造における前記掛止溝は一端が開放した半閉鎖式貫通孔構造である、ことを特徴とする請求項１に記載の組立家具の連結構造。
【請求項５】
前記掛合式係止構造における前記掛止溝及び前記掛合式位置決め突起は、水平方向又は垂直方向に設けられる、ことを特徴とする請求項１に記載の組立家具の連結構造。
【請求項６】
前記直接挿入式位置決め突起は、“Ｔ”形の構造を有する、ことを特徴とする請求項１に記載の組立家具の連結構造。
【請求項７】
前記直接挿入式係止構造における前記嵌合溝及び前記直接挿入式位置決め突起は、水平方向又は垂直方向に設けられる、ことを特徴とする請求項１に記載の組立家具の連結構造。
【請求項８】
前記第１係合部及び前記第２係合部は、一端が開放した半閉鎖式貫通孔構造である、ことを特徴とする請求項１に記載の組立家具の連結構造。
【請求項９】
前記摺動板及び前記摺動溝は、線形の構造を有する、ことを特徴とする請求項１に記載の組立家具の連結構造。
【請求項１０】
前記各部材は、柱状部材を更に含むことができ、前記柱状部材と前記板状部材との間が隠し式係止構造を介して連結され、前記隠し式係止構造は、前記柱状部材上に設けられた中空溝と、第９板状部材上に設けられ、前記中空溝に合わせられる隠し式位置決め突起とを含み、前記中空溝が前記柱状部材の表面に設けられた係止孔と前記柱状部材内部に設けられた空洞部とを含む、ことを特徴とする請求項１に記載の組立家具の連結構造。
【発明の詳細な説明】
【技術分野】
【０００１】
本発明は、家具の取り付け分野に関し、特に、組立家具の連結構造に関する。
【背景技術】
【０００２】
家具産業において、一般的な家具は、連結片及びネジで組み立てられ、連結方法も固定され、組み立て機構が煩雑で、占用面積も比較的大きく、かつその連結は連結位置に穴をあける必要がある。しかし、長期間過ぎるとネジによる連結部位が大きくなり、安定性能に劣り、不安定になるだけではなく、容易に家具に損傷を与える。よって、従来の家具は、取り付け、取り外し又は輸送を問わず、極めて不便である。また、従来技術の係合連結方法において、その連結部位の連結しているネジ頭が目立つ、又は係合部材が突出し、体裁に影響を及ぼすだけではなく、突出部材が周囲の人に容易にあたってしまい、怪我をさせてしまっていた。
【発明の概要】
【発明が解決しようとする課題】
【０００３】
従来技術の課題を解決するため、本発明は、組立家具の連結構造を提供することを目的とする。
【課題を解決するための手段】
【０００４】
上記目的を達成するため、本発明の技術的手段としては、
各部材を含む組立家具の連結構造であって、前記各部材は板状部材を含み、前記板状部材の間が係止構造を介して連結され、前記係止構造は掛合式係止構造と直接挿入式係止構造と係合式係止構造と摺動溝式係止構造とを含み、
前記掛合式係止構造は、第１板状部材上に設けられた掛止溝と、第２板状部材上に設けられ、前記掛止溝に合わせられる掛合式位置決め突起とを含み、
前記直接挿入式係止構造は、第３板状部材上に設けられた嵌合溝と、第４板状部材上に設けられ、前記嵌合溝に合わせられる直接挿入式位置決め突起とを含み、
前記係合式係止構造は、第５板状部材上に設けられた第１係合部と、第６板状部材上に設けられ、前記第１係合部に合わせられる第２係合部とを含み、
前記摺動溝式係止構造は、第７板状部材上に設けられた摺動溝と、第８板状部材上に設けられ、前記摺動溝に合わせられる摺動板とを含むことを特徴とする。
【０００５】
さらに、前記掛合式位置決め突起は、“┌”形の構造を有する。
【０００６】
さらに、前記掛止溝に、内方に向けて突出する係止部が設けられる。
【０００７】
さらに、前記掛合式係止構造は、閉鎖形掛合式係止構造と半閉鎖形掛合式係止構造とを含み、前記閉鎖形掛合式係止構造における前記掛止溝は閉鎖式貫通孔構造であり、前記半閉鎖形掛合式係止構造における前記掛止溝は一端が開放した半閉鎖式貫通孔構造である。
【０００８】
さらに、前記掛合式係止構造における前記掛止溝及び前記掛合式位置決め突起は、水平方向又は垂直方向に設けられる。
【０００９】
さらに、前記直接挿入式位置決め突起は、“Ｔ”形の構造を有する。
【００１０】
さらに、前記直接挿入式係止構造における前記嵌合溝及び前記直接挿入式位置決め突起は、水平方向又は垂直方向に設けられる。
【００１１】
さらに、前記第１係合部及び前記第２係合部は、一端が開放した半閉鎖式貫通孔構造である。
【００１２】
さらに、前記摺動板及び前記摺動溝は、線形の構造を有する。
【００１３】
さらに、前記各部材は、柱状部材を更に含むことができ、前記柱状部材と前記板状部材との間が隠し式係止構造を介して連結され、前記隠し式係止構造は、前記柱状部材上に設けられた中空溝と、第９板状部材上に設けられ、前記中空溝に合わせられる隠し式位置決め突起とを含み、前記中空溝が前記柱状部材の表面に設けられた係止孔と前記柱状部材内部に設けられた空洞部とを含む。
【発明の効果】
【００１４】
本発明の異なる部位の各部材間は、異なる係止構造を介して係止され、家具の異なるニーズに応じて露出式及び内蔵式の構造として設けられ、体裁がよく、構造も丈夫で、実用性に優れ、様々な係止構造として種類の異なる家具の連結に適され、応用範囲がより一層広くなる。本発明は、従来家具の連結部材をモジュール化することにより、その取り付け、取り外しに便利で、コストを削減できる。空洞部の構造は、係合部の突出部分を隠し、危害を及ぼす可能性を減らし、かつ露出する取り付け痕跡がなく、体裁よく仕上がる。
【図面の簡単な説明】
【００１５】
【図１】本発明における閉鎖形掛合式係止構造を示す模式図である。
【図２】本発明における半閉鎖形掛合式係止構造を示す模式図である。
【図３】本発明における掛止溝の構造を示す模式図である。
【図４】本発明における直接挿入式係止構造が水平方向に設けられた様子を示す模式図である。
【図５】本発明における直接挿入式係止構造が垂直方向に設けられた様子を示す模式図である。
【図６】本発明における係合式係止構造を示す模式図である。
【図７】本発明における摺動溝式係止構造を示す模式図である。
【図８】本発明における第７板状部材の構造を示す模式図である。
【図９】本発明における隠し式係止構造を示す模式図である。
【図１０】本発明における中空溝の構造を示す模式図である。
【図１１】本発明における取り付け方式を示す模式図である。
【図１２】本発明における各組立部材の平面構造を示す模式図である。
【図１３】本発明の実施例に係る各組立ステップを示す模式図である。
【図１４】本発明の実施例に係る各組立ステップを示す模式図である。
【図１５】本発明の実施例に係る各組立ステップを示す模式図である。
【図１６】本発明の実施例に係る各組立ステップを示す模式図である。
【図１７】本発明の実施例に係る各組立ステップを示す模式図である。
【図１８】本発明の実施例に係る各組立ステップを示す模式図である。
【図１９】本発明の実施例に係る各組立ステップを示す模式図である。
【図２０】本発明の実施例に係る各組立ステップを示す模式図である。
【図２１】本発明の実施例に係る各組立ステップを示す模式図である。
【図２２】本発明の実施例に係る各組立ステップを示す模式図である。
【図２３】本発明の実施例に係る各組立ステップを示す模式図である。
【図２４】本発明の実施例に係る各組立ステップを示す模式図である。
【図２５】本発明の実施例に係る各組立ステップを示す模式図である。
【図２６】本発明の実施例に係る各組立ステップを示す模式図である。
【図２７】本発明の実施例に係る各組立ステップを示す模式図である。
【図２８】本発明の実施例に係る各組立ステップを示す模式図である。
【発明を実施するための形態】
【００１６】
以下に、添付図面に基づいて、本発明に係る実施の形態を更に説明する。
【００１７】
図１乃至図９に示すように、本発明に係る組立家具の連結構造は、各部材を含み、各部材が板状部材を含む。板状部材間は係止構造を介して連結される。この係止構造は、掛合式係止構造、直接挿入式係止構造、係合式係止構造、及び摺動溝式係止構造を含む。
【００１８】
図１乃至図３に示すように、掛合式係止構造は、第１板状部材１上に設けられた掛止溝１１と、第２板状部材２上に設けられ、掛止溝１１に合わせられる掛合式位置決め突起２１とを含む。掛合式位置決め突起２１は、“┌”形の構造を有する。掛止溝１１には、内方に向けて突出する係止部１１１が設けられる。掛合式係止構造は、閉鎖形掛合式係止構造と半閉鎖形掛合式係止構造とを含む。閉鎖形掛合式係止構造における掛止溝１１は、閉鎖式貫通孔構造である。半閉鎖形掛合式係止構造における掛止溝１１は、一端が開放した半閉鎖式貫通孔構造である。
【００１９】
好ましくは、掛合式係止構造における掛止溝１１及び掛合式位置決め突起２１は、水平方向又は垂直方向に設けられる。
【００２０】
図４乃至図５に示すように、直接挿入式係止構造は、第３板状部材３上に設けられた嵌合溝３１と、第４板状部材４上に設けられ、嵌合溝３１に合わせられる直接挿入式位置決め突起４１とを含む。直接挿入式位置決め突起４１は、“Ｔ”形の構造を有する。
【００２１】
好ましくは、直接挿入式係止構造における嵌合溝３１及び直接挿入式位置決め突起４１は、水平方向又は垂直方向に設けられる。
【００２２】
図６に示すように、係合式係止構造は、第５板状部材５上に設けられた第１係合部５１と、第６板状部材６上に設けられ、第１係合部５１に合わせられる第２係合部６１とを含む。第１係合部５１及び第２係合部６１は、一端が開放した半閉鎖式貫通孔構造である。
【００２３】
図７乃至図８に示すように、摺動溝式係止構造は、第７板状部材７上に設けられた摺動溝７１と、第８板状部材８上に設けられ、摺動溝７１に合わせられる摺動板８１とを含む。摺動板８１及び摺動溝７１は、線形の構造を有する。
【００２４】
図９乃至図１０に示すように、本発明における各部材は、柱状部材１０を更に含むことができる。柱状部材１０と板状部材との間は、隠し式係止構造を介して連結される。隠し式係止構造は、柱状部材１０上に設けられた中空溝１０１と、第９板状部材９上に設けられ、中空溝１０１に合わせられる隠し式位置決め突起９１とを含む。中空溝１０１は、柱状部材１０の表面に設けられた係止孔１０２と、柱状部材１０内部に設けられた空洞部１０３とを含む。
【００２５】
本発明において、図１１に示すように、各部材間は、直接引抜式の方法で取り付けることができる。２つの部材を取り付けた後、回転方法によって３つ目の部材として取り付けてもよい。
【００２６】
縦向き横向きベッドを備えた２段ベッドを具体的な実施例として、その取り付け過程の説明を通じて本発明における各部材間の取り付け関係を説明する。なお、取り付け方向は、図中の矢印で示している。図１２は、本実施例において関わる各部材（例えば、図中の柱１００１〜板１００８及び板１００１〜板１０４９である）を示している。具体的な取り付けステップは、以下の通りとする。
【００２７】
（１）図１３に示すように、隠し式係止構造で板１００９〜１０１４を取り付ける。
【００２８】
（２）図１４に示すように、隠し式係止構造で板１０１５、１０１８を取り付け、半閉鎖形掛合式係止構造で板１０１７、１０１８を取り付ける。
【００２９】
（３）図１５に示すように、隠し式係止構造で板１０１６、１０１５を取り付け、掛合式係止構造で板１０１９を取り付ける。
【００３０】
（４）図１６に示すように、閉鎖形掛合式係止構造で板１０２２を取り付け、半閉鎖形掛合式係止構造で板１０２３、１０２４を取り付ける。
【００３１】
（５）図１７に示すように、掛合式係止構造で板１０２３を取り付け、隠し式係止構造で板１０２０、１０２１、１０２５を取り付ける。
【００３２】
（６）図１８に示すように、直接挿入式係止構造で板１０２６を取り付ける。
【００３３】
（７）図１９に示すように、掛合式係止構造で板１０２９〜１０３３を取り付ける。
【００３４】
（８）図２０に示すように、隠し式係止構造で板１０２８、１０３５を取り付ける。
【００３５】
（９）図２１乃至２２に示すように、隠し式係止構造で板１０３６を取り付ける。
【００３６】
（１０）図２３に示すように、直接挿入式係止構造で板１０３７、１０３８を取り付ける。
【００３７】
（１１）図２４に示すように、隠し式係止構造で板１０３９、１０４３を取り付け、掛合式係止構造で板１０４１〜１０４３を取り付ける。
【００３８】
（１２）図２５に示すように、半閉鎖形掛合式係止構造で板１０４４〜１０４８を取り付ける。
【００３９】
（１３）図２６に示すように、隠し式係止構造で板１０３９、１０４９を取り付ける。
【００４０】
（１４）図２７に示すように、隠し式係止構造で板１０４３、１０４９を取り付ける。
【００４１】
（１５）図２８に示すように、縦向き横向きベッドを備えた２段ベッドの組み立てが完了した。
【００４２】
（付記）
（付記１）
各部材を含む組立家具の連結構造であって、前記各部材は板状部材を含み、前記板状部材の間が係止構造を介して連結され、前記係止構造は掛合式係止構造と直接挿入式係止構造と係合式係止構造と摺動溝式係止構造とを含み、
前記掛合式係止構造は、第１板状部材上に設けられた掛止溝と、第２板状部材上に設けられ、前記掛止溝に合わせられる掛合式位置決め突起とを含み、
前記直接挿入式係止構造は、第３板状部材上に設けられた嵌合溝と、第４板状部材上に設けられ、前記嵌合溝に合わせられる直接挿入式位置決め突起とを含み、
前記係合式係止構造は、第５板状部材上に設けられた第１係合部と、第６板状部材上に設けられ、前記第１係合部に合わせられる第２係合部とを含み、
前記摺動溝式係止構造は、第７板状部材上に設けられた摺動溝と、第８板状部材上に設けられ、前記摺動溝に合わせられる摺動板とを含む、
ことを特徴とする組立家具の連結構造。
【００４３】
（付記２）
前記掛合式位置決め突起は、“┌”形の構造を有する、ことを特徴とする付記１に記載の組立家具の連結構造。
【００４４】
（付記３）
前記掛止溝に、内方に向けて突出する係止部が設けられる、ことを特徴とする付記１に記載の組立家具の連結構造。
【００４５】
（付記４）
前記掛合式係止構造は、閉鎖形掛合式係止構造と半閉鎖形掛合式係止構造とを含み、前記閉鎖形掛合式係止構造における前記掛止溝は閉鎖式貫通孔構造であり、前記半閉鎖形掛合式係止構造における前記掛止溝は一端が開放した半閉鎖式貫通孔構造である、ことを特徴とする付記１に記載の組立家具の連結構造。
【００４６】
（付記５）
前記掛合式係止構造における前記掛止溝及び前記掛合式位置決め突起は、水平方向又は垂直方向に設けられる、ことを特徴とする付記１に記載の組立家具の連結構造。
【００４７】
（付記６）
前記直接挿入式位置決め突起は、“Ｔ”形の構造を有する、ことを特徴とする付記１に記載の組立家具の連結構造。
【００４８】
（付記７）
前記直接挿入式係止構造における前記嵌合溝及び前記直接挿入式位置決め突起は、水平方向又は垂直方向に設けられる、ことを特徴とする付記１に記載の組立家具の連結構造。
【００４９】
（付記８）
前記第１係合部及び前記第２係合部は、一端が開放した半閉鎖式貫通孔構造である、ことを特徴とする付記１に記載の組立家具の連結構造。
【００５０】
（付記９）
前記摺動板及び前記摺動溝は、線形の構造を有する、ことを特徴とする付記１に記載の組立家具の連結構造。
【００５１】
（付記１０）
前記各部材は、柱状部材を更に含むことができ、前記柱状部材と前記板状部材との間が隠し式係止構造を介して連結され、前記隠し式係止構造は、前記柱状部材上に設けられた中空溝と、第９板状部材上に設けられ、前記中空溝に合わせられる隠し式位置決め突起とを含み、前記中空溝が前記柱状部材の表面に設けられた係止孔と前記柱状部材内部に設けられた空洞部とを含む、ことを特徴とする付記１に記載の組立家具の連結構造。
【符号の説明】
【００５２】
１  第１板状部材、１０  柱状部材、１０１  中空溝、１０２  係止孔、１０３  空洞部、１００１〜１００８  柱、１００９〜１０４９  板、１１  掛止溝、１１１  係止部、２  第２板状部材、２１  掛合式位置決め突起、３  第３板状部材、３１  嵌合溝、４  第４板状部材、４１  直接挿入式位置決め突起、５  第５板状部材、５１  第１係合部、６  第６板状部材、６１  第２係合部、７  第７板状部材、７１  摺動溝、８  第８板状部材、８１  摺動板、９  第９板状部材、９１  隠し式位置決め突起
【図１】
2020085160.tif 000003
【図２】
2020085160.tif 000004
【図３】
2020085160.tif 000005
【図４】
2020085160.tif 000006
【図５】
2020085160.tif 000007
【図６】
2020085160.tif 000008
【図７】
2020085160.tif 000009
【図８】
2020085160.tif 000010
【図９】
2020085160.tif 000011
【図１０】
2020085160.tif 000012
【図１１】
2020085160.tif 000013
【図１２】
2020085160.tif 000014
【図１３】
2020085160.tif 000015
【図１４】
2020085160.tif 000016
【図１５】
2020085160.tif 000017
【図１６】
2020085160.tif 000018
【図１７】
2020085160.tif 000019
【図１８】
2020085160.tif 000020
【図１９】
2020085160.tif 000021
【図２０】
2020085160.tif 000022
【図２１】
2020085160.tif 000023
【図２２】
2020085160.tif 000024
【図２３】
2020085160.tif 000025
【図２４】
2020085160.tif 000026
【図２５】
2020085160.tif 000027
【図２６】
2020085160.tif 000028
【図２７】
2020085160.tif 000029
【図２８】
2020085160.tif 000030